(57)【要約】【課題】  本発明は、設計上に定められたサイズや断面積内で空気の通過流量を最大限確保して、真空掃除機の吸引性能を向上させるフィルタ組立体及びそれを備えるサイクロン集塵装置を提供する。【解決手段】  フィルタ組立体及びそれを備えるサイクロン集塵装置が開示される。開示された本発明に係るフィルタ組立体は、吸入された空気に含まれたゴミを遠心分離して除去した後、前記空気をろ過させ排出するサイクロン集塵装置に採用されるもので、逆円錐状のフィルタボディと流路を含む。流路は空気がフィルタボディの内部にガイドされるよう逆円錐状のフィルタボディに形成され、前記空気は該流路を介して３次元方向、すなわち、フィルタボディの中心軸と平行方向に流入されると共に、フィルタボディの中心軸と垂直方向に流入される。【選択図】      図３
2006297057.tif 000002
【特許請求の範囲】
【請求項１】
吸入された空気に含まれたゴミを遠心分離して除去した後、前記空気をろ過させ排出するサイクロン集塵装置に採用されるフィルタ組立体において、
フィルタボディと、
前記空気が前記フィルタボディの内部にガイドされるよう前記フィルタボディに形成され、前記空気が前記フィルタボディの中心軸と平行方向に流入されると共に、前記フィルタボディの中心軸と垂直方向に流入されるようガイドする流路と、を含むことを特徴とするフィルタ組立体。
【請求項２】
前記フィルタボディは、円錐状であることを特徴とする請求項１に記載のフィルタ組立体。
【請求項３】
前記フィルタボディは、前記空気の流動方向と順方向に構成される螺旋部材を含むことを特徴とする請求項２に記載のフィルタ組立体。
【請求項４】
前記フィルタボディの一端に連結され、前記サイクロン集塵装置のサイクロンボディと結合される結合部を含むことを特徴とする請求項３に記載のフィルタ組立体。
【請求項５】
前記フィルタボディは、同一中心軸を有し前記結合部から離隔されるほど直径が小さくなることを特徴とする請求項４に記載のフィルタ組立体。
【請求項６】
前記フィルタボディを支持するよう前記フィルタボディの中心軸方向に設けられる支持リブをさらに含むことを特徴とする請求項５に記載のフィルタ組立体。
【請求項７】
前記フィルタボディは、相異なる直径を有する複数のリング部材が前記フィルタボディの中心軸方向に相互重ならないよう順次配置される構造であることを特徴とする請求項２に記載のフィルタ組立体。
【請求項８】
前記フィルタボディの上端に連結され、前記サイクロン集塵装置のサイクロンボディと結合される結合部を含むことを特徴とする請求項７に記載のフィルタ組立体。
【請求項９】
前記リング部材は、同一中心軸を有し前記結合部から離隔されるほど直径が小さくなることを特徴とする請求項８に記載のフィルタ組立体。
【請求項１０】
前記複数のリング部材を支持するよう前記フィルタボディの中心軸方向に設けられる支持リブをさらに含むことを特徴とする請求項９に記載のフィルタ組立体。
【請求項１１】
前記空気の通過流量をさらに増加させるため前記フィルタボディと前記結合部との間に形成される複数のスリットをさらに含むことを特徴とする請求項８に記載のフィルタ組立体。
【請求項１２】
ゴミを含んだ空気が吸入される空気流入口と前記吸入された空気が外部へ排出される排気口を有し、前記空気流入口を介して吸入される空気からゴミが遠心分離される空間であるサイクロンチャンバーを備えるサイクロンボディと、
前記サイクロンチャンバーに設けられ、前記排気口を介して排出される空気をろ過するフィルタ組立体と、を含み、
前記フィルタ組立体は、前記排気口と結合される結合部と、前記結合部の下端に連結され、前記結合部から離隔されるほど直径が小さくなる逆円錐状を有するフィルタボディと、前記空気が前記フィルタボディの内部にガイドされるよう前記フィルタボディに形成され、前記空気が前記フィルタボディの中心軸と平行方向に流入されると共に、前記フィルタボディの中心軸と垂直方向に流入されるようガイドする流路と、を含むことを特徴とするサイクロン集塵装置。
【請求項１３】
前記サイクロンチャンバーには、前記フィルタボディと対応する逆円錐状の内壁が設けられることを特徴とする請求項１２に記載のサイクロン集塵装置。
【請求項１４】
前記サイクロンチャンバーは前記吸入される空気に含まれたゴミを２段階に分けて遠心分離した後排出するよう第１サイクロンチャンバー及び第２サイクロンチャンバーを備え、
前記フィルタ組立体は前記第１サイクロンチャンバーに設けられ、前記逆円錐状の内壁は前記第１サイクロンチャンバーに設けられることを特徴とする請求項１３に記載のサイクロン集塵装置。
【請求項１５】
前記フィルタボディは、前記空気の流動方向と順方向に構成される螺旋部材を含むことを特徴とする請求項１２に記載のサイクロン集塵装置。
【請求項１６】
前記フィルタボディは、相異なる直径を有する複数のリング部材が前記フィルタボディの中心軸方向に相互重ならないよう順次配置されることを特徴とする請求項１２に記載のサイクロン集塵装置。
【請求項１７】
前記フィルタ組立体は、前記空気の通過流量をさらに確保するため前記フィルタボディと前記結合部との間に形成される複数のスリットをさらに含むことを特徴とする請求項１６に記載のサイクロン集塵装置。
【請求項１８】
前記フィルタ組立体は、前記フィルタボディを支持するよう前記フィルタボディの中心軸方向に設けられる支持リブをさらに含むことを特徴とする請求項１２に記載のサイクロン集塵装置。
【発明の詳細な説明】
【技術分野】
【０００１】
本発明は、集塵装置に係り、特に、ホコリ及び各種異物（以下、‘ゴミ’と称する。）を含んだ吸入空気が旋回気流をなし、遠心力により旋回気流からゴミが分離／収集される真空掃除機用のサイクロン集塵装置及びそれを備えるフィルタ組立体に関する。
【背景技術】
【０００２】
図１は真空掃除機に適用される一般のサイクロン集塵装置を概略的に示す図である。
【０００３】
サイクロン集塵装置１０はサイクロン分離機である本体１１、ゴミを含んだ空気が吸入される吸気ポート１２、ゴミの分離された空気が排出される排気ポート１３、排気ポート１３と連通されるよう結合されるフィルタの一種であるグリル部材１４、及び空気から分離されたゴミを収集するゴミ収集筒１５を備える。
【０００４】
図示していないが、吸気ポート１２は真空掃除機の吸入ブラシと連通され、排気ポート１３は吸引モータが備えられた真空掃除機のモータ駆動室と連通される。
【０００５】
以下、このようなサイクロン集塵装置１０の動作を詳説する。
【０００６】
吸気ポート１２はサイクロン本体１１の内周面と接線方向に向かって連結され、吸気ポート１２を介してサイクロン本体１１の内部に流入された空気はサイクロン本体１１の内周面に沿って旋回気流をなしながら下降する。この過程において、空気とゴミはその質量差によって各々異なる遠心力を与えられて分離され、空気より比較的重い質量のゴミはサイクロン本体１１の内周面にガイドされ、回転気流と自重によりゴミ収集筒１５に収集される。
【０００７】
ゴミが遠心分離された空気は吸引モータ（図示せず）の吸引力により再び上昇気流をなし、グリル部材１４を通過した後、排気ポート１３を介してサイクロン集塵装置１０の外部へ排出される。
【０００８】
グリル部材１４は、ゴミ収集筒１５に収集されたゴミが逆流され外部へ排出されることを防止したり、遠心分離されない微細ゴミをろ過する役割を果たす。グリル部材１４は多様な形態があるが、図２に示すように、一般に、円筒形ボディ１６を有し、上端が開放され排気ポート１３と連通されるよう結合され、下端は閉鎖される。また、円筒形ボディには空気が通過できる多数の通気孔１７が形成される。
【０００９】
このように、一般のサイクロン集塵装置１０は集塵効率を向上させるためグリル部材１４が設けられるが、該グリル部材１４は真空掃除機の吸引性能の低下を引き起こす。このため、吸引力の維持のため吸引モータの吸引パワーを増加させざるを得ず、これは消費電力の上昇とつながる。一方、最近、微細ホコリの集塵効率を高めるため吸入された空気からゴミを２段階に分けて遠心分離する多重サイクロン集塵装置が開発されているが、このような多重サイクロン集塵装置において前記吸引性能の維持は非常に重要である。
【００１０】
したがって、設計上に定められたグリル部材のサイズや断面積内でより多くの空気が通過できるよう、多くの通気孔を確保することが求められる。
【発明の開示】
【発明が解決しようとする課題】
【００１１】
本発明は、前記のような問題点を鑑みてなされたものであって、その目的は、設計上に定められたサイズや断面積内で空気の通過流量を最大限確保して、真空掃除機の吸引性能を向上させるフィルタ組立体及びそれを備えるサイクロン集塵装置を提供することにある。
【課題を解決するための手段】
【００１２】
前記目的を達成するための本発明に係るフィルタ組立体は、吸入された空気に含まれたゴミを遠心分離して除去した後、前記空気をろ過させ排出するサイクロン集塵装置に採用されるもので、円錐状のフィルタボディと流路を含む。前記流路は、旋回気流をなす空気が前記フィルタボディの内部にガイドされるよう前記フィルタボディに形成され、前記空気は前記流路を介して前記フィルタボディの中心軸と平行方向に流入されると共に、前記フィルタボディの中心軸と垂直方向に流入される。
【００１３】
本発明の一実施形態によれば、前記フィルタボディは前記空気の流動方向と順方向に構成される螺旋部材を含むことが好ましい。
【００１４】
また、前記フィルタ組立体はフィルタボディの一端に連結され、前記サイクロン集塵装置のサイクロンボディと結合される結合部を含むことが良い。
【００１５】
前記フィルタボディは同一中心軸を有し、前記結合部から離隔されるほど直径が小さくなることが良い。
【００１６】
また、前記フィルタ組立体は、前記フィルタボディを支持するよう前記フィルタボディの中心軸方向に設けられる複数の支持リブをさらに含むことが良い。
【００１７】
本発明の他の実施形態によれば、前記フィルタボディは相異なる直径を有する複数のリング部材が前記フィルタボディの中心軸方向に相互重ならないよう順次配置される構造を有することが好ましい。
【００１８】
また、前記フィルタ組立体は前記フィルタの上端に連結され、前記サイクロン集塵装置のサイクロンボディと結合される結合部を含むことが良い。
【００１９】
前記複数のリング部材は同一中心軸を有し、前記結合部から離隔されるほど直径が小さくなることが良い。
【００２０】
また、前記フィルタ組立体は前記複数のリング部材を支持するよう前記フィルタボディの中心軸方向に設けられる支持リブをさらに含むことが良い。
【００２１】
本発明のさらに他の実施形態によれば、前記フィルタ組立体は空気の通過流量をさらに増加させるため複数のスリットがさらに備えられることが好ましい。
【００２２】
一方、前記目的を達成するための本発明に係るサイクロン集塵装置は、サイクロンボディとフィルタ組立体を含む。サイクロンボディは、ゴミを含んだ空気が吸入される空気流入口と前記流入された空気が外部へ排出される排気口を有し、前記空気流入口を介して吸入される空気からゴミが遠心分離される空間であるサイクロンチャンバーを備える。フィルタ組立体は、前記サイクロンチャンバーに設けられ、前記排気口を介して排出される空気をろ過する。
【００２３】
前記フィルタ組立体は、一端が前記排気口と結合される結合部と、前記結合部の下端に連結され、前記結合部から離隔されるほど直径が小さくなる逆円錐状を有するフィルタボディと、前記空気が前記フィルタボディの内部にガイドされるよう前記フィルタボディに形成され、前記空気が前記フィルタボディの中心軸と平行方向に流入されると共に、前記フィルタボディの中心軸と垂直方向に流入されるようガイドする流路とを含む。
【発明の効果】
【００２４】
本発明によると、フィルタボディを逆円錐状とし、その間に３次元方向に空気が流動される複数の流路を形成することで、フィルタボディを通過する空気流量の断面積をさらに確保できる。したがって、定められたサイズや断面積に比べてより多くの流量を確保できるため、吸引力の増大及び消費電力の減少の効果が得られる。一方、フィルタ組立体が設けられるサイクロンチャンバーの内壁をフィルタ組立体のフィルタボディと対応する逆円錐状とすることで、本発明の効果を一層増進させることができる。
【発明を実施するための最良の形態】
【００２５】
以下、添付した図面に基づいて本発明の好適な実施形態によるフィルタ組立体及びそれを備えたサイクロン集塵装置を詳説する。
（実施形態）
図３は本発明の一実施形態によるフィルタ組立体が適用されたサイクロン集塵装置１００を示す図である。同図に示すように、サイクロン集塵装置１００は、サイクロンボディ１１０、ゴミ収集筒１２０、及びサイクロンボディ１１０に設けられるフィルタ組立体１３０を含む。
【００２６】
サイクロンボディ１１０には被掃除面から吸入されたゴミを含んだ空気の流入される空気流入口１１１が備えられ、サイクロンボディ１１０上部にはゴミがろ過された空気を掃除機本体（図示せず）の方に排出する排気口１１２が備えられる。
【００２７】
サイクロンボディ１１０の内部には空気中に含まれたゴミを分離するサイクロンチャンバー１１３が備えられる。一方、サイクロンボディ１１０には下方小径の円錐状の内壁１１４が設けられる。内壁１１４はフィルタ組立体１３０のフィルタボディ１３１の形状と対応するものであり、内壁１１４によりサイクロンチャンバー１１３は逆円錐状となる。しかし、本発明によれば、内壁１１４が逆円錐状に限定されない。
【００２８】
ゴミ収集筒１２０はサイクロンボディ１１０の下部面に着脱自在に設けられ、サイクロンチャンバー１１３内部で空気から分離されたゴミを収集する。
【００２９】
フィルタ組立体１３０はサイクロンボディ１１０内部のサイクロンチャンバー１１３に設けられ、サイクロンチャンバー１１３で遠心分離されたゴミが外部へ排出されることを遮断する。
【００３０】
図４及び図５に示すように、フィルタ組立体１３０はフィルタボディ１３１、結合部１３２、及びフィルタボディ１３１に形成された流路１３４を含む。
【００３１】
結合部１３２は円筒形として排気口１１２と連通されるようサイクロンボディ１１０と結合される。結合部１３２には係合凸部１３３が形成され、サイクロンボディ１１０に形成された凹部（図示せず）と結合される。しかし、フィルタ組立体１３０は結合部１３２なしにボンディングによりサイクロンボディ１１０と直接結合されることも可能である。
【００３２】
図示したように、フィルタボディ１３１は同一中心軸１３９を有し結合部１３２から離隔されるほど直径が小さくなる逆円錐状で構成される。このような逆円錐状の構造により、遠心分離されずフィルタボディ１３１にくっついているゴミが自主落下されたり、容易に取除かれることができる。
【００３３】
フィルタボディ１３１はサイクロンチャンバー１１３内で空気の旋回気流の流動方向と順方向に構成される螺旋部材で形成される（図３参照）。空気の流動方向は旋回気流をなしながら下降する。このように、フィルタボディ１３１を空気の流動方向と順方向に形成することによって空気との摩擦は発生しないことから、空気の流動は一層円滑になる。フィルタボディ１３１は一つの部材が一体に螺旋構造を有するよう形成されたり、複数の部材を連結して螺旋構造を有するよう形成される。
【００３４】
フィルタボディ１３１の外面にはフィルタボディ１３１を支持するためフィルタボディ１３１の中心軸１３９方向、すなわち、高さ方向に複数の支持リブ１３５が設けられる。支持リブ１３５の厚さ及び支持リブ１３５同士の間隔は通過する空気の流量を妨げないよう適切に維持することが良い。
【００３５】
フィルタボディ１３１にはサイクロンチャンバー１１３内で旋回気流をなす空気及びゴミ収集筒１２０でサイクロンチャンバー１１３へ上昇する空気をフィルタボディ１３１の内部にガイドする流路１３４が形成される。フィルタボディ１３１が螺旋構造であるため、流路１３４も螺旋構造を有する（図５参照）。流路１３４はフィルタボディ１３１の中心軸１３９と垂直方向（Ｘ、Ｙ方向）及びフィルタボディ１３１の中心軸１３９と平行方向（Ｚ方向）に向かって形成される。このように形成された流路１３４により空気は３次元方向にフィルタボディ１３１の内部に流入される。すなわち、空気はフィルタボディ１３１の中心軸１３９と垂直方向（Ｘ、Ｙ方向）のみならず、フィルタボディ１３１の中心軸１３９と平行方向（Ｚ方向）にも流入される。一方、流路１３４の間隔はゴミがうまくろ過されるようそのサイズを適切に維持することが好ましい。
【００３６】
このように、本発明に係るフィルタ組立体１３０によれば、３次元流路構造を有するため、設計上に定められたサイズや断面積内で最大限の空気通過面積を確保できる。したがって、吸引モータによる吸引性能を画期的に向上させる効果がある。
【００３７】
また、フィルタ組立体１３０が設けられるサイクロンチャンバー１１３の内壁１１４をフィルタボディ１３１と対応する逆円錐状に設計することにより、吸引力を向上させる本考案の効果がさらに増進される。
【００３８】
以下、図３に基づいて本発明に係るサイクロン集塵装置１００の動作を説明する。
【００３９】
吸引モータ（図示せず）が駆動すれば、真空掃除機の吸入ブラシ（図示せず）を介してゴミの含まれた空気がサイクロン集塵装置１００に流入される。ゴミを含んだ空気は空気流入口１１１を介してサイクロンチャンバー１１３に流入され、内壁１１４に沿って矢印方向（実線）に旋回気流をなす。これにより、空気に含まれたゴミは遠心分離され、ゴミ収集筒１２０に集塵される。
【００４０】
一方、ゴミが遠心分離された空気はフィルタ組立体１３０のフィルタボディ１３１に点線矢印のように、３次元方向に流入される。すなわち、フィルタボディ１３１の中心軸１３９と平行方向に流入されるのみならず、フィルタボディ１３１の中心軸１３９と垂直方向にも流入される。このように、３次元方向に空気が流入される流路１３４を備えたフィルタ組立体１３０により、吸引モータの同一パワー条件下で既存に比べて真空掃除機の吸引性能が向上する効果がある。
【００４１】
フィルタ組立体１３０を通過した空気は排気口１１２から抜け出しサイクロン集塵装置１００の外部へ抜け出る。
【００４２】
一方、本発明に係るフィルタ組立体１３０は多重サイクロン集塵装置に採用されることができる。最近、サイクロン集塵装置の集塵効率を高めるため、サイクロン集塵装置に流入された空気を２段階以上にろ過させる多重サイクロン集塵装置が開発されている。図６は本発明に係るフィルタ組立体１３０が採用された多重サイクロン集塵装置２００の一例を示す図である。
【００４３】
図６に示すように、サイクロンボディ２１０は、比較的体積の大きいゴミを１次ろ過する第１サイクロンチャンバー２１３と、第１サイクロンチャンバー２１３でろ過された空気中に含まれた微細ゴミをろ過する複数の第２サイクロンチャンバー２１８とを含む。
【００４４】
第１サイクロンチャンバー２１３と第２サイクロンチャンバー２１８は隔壁部材２１５により区切られる。一方、第１サイクロンチャンバー２１３内部には下方小径の円錐状の内壁２１４が設けられる。内壁２１４はフィルタ組立体１３０のフィルタボディ１３１の形状と対応するものであり、内壁２１４により第１サイクロンチャンバー２１３は逆円錐状となる。フィルタ組立体１３０は第１サイクロンチャンバー２１３内部に設けられ、第１サイクロンチャンバー２１３で遠心分離された体積の大きいゴミが第２サイクロンチャンバー２１８内部に流入されることを遮断する。
【００４５】
以下、このような構成を有する多重サイクロン集塵装置２００の動作を説明する。
【００４６】
真空掃除機の吸引モータ（図示せず）が駆動すれば、吸入ブラシ（図示せず）を介してゴミの含まれた空気が多重サイクロン集塵装置２００に流入される。多重サイクロン集塵装置２００に流入された空気は、第１空気流入口２１１を介して第１サイクロンチャンバー２１３に流入され旋回気流をなす。これにより、空気中に含まれた比較的大きいゴミは遠心分離され、ゴミ収集筒２２０に集塵される。
【００４７】
一方、比較的大きいゴミが１次遠心分離された空気はフィルタ組立体１３０に点線矢印方向のように３次元方向に流入される。すなわち、フィルタボディ１３１の中心軸１３９と平行方向に流入されるのみならず、フィルタボディ１３１の中心軸１３９と垂直方向にも流入される。
【００４８】
フィルタ組立体１３０を通過した空気は第１排気口２１２から抜け出し、第２空気流入口２１６を介して第２サイクロンチャンバー２１８に流入される。第２サイクロンチャンバー２１８に流入された空気は旋回気流をなし、空気中に含まれた微細ゴミは遠心分離され、ゴミ収集筒２２０に集塵される。微細ゴミの分離されたきれいな空気は第２排気口２１７を介してサイクロン集塵装置２００から抜け出す。
【００４９】
このように、本発明のフィルタ組立体は集塵効率を向上させるための多重サイクロン集塵装置に適用されその機能を一層発揮できる。すなわち、既存の多重サイクロン集塵装置は集塵効率を向上させるが、空気の移動経路が長くなるにつれ吸引モータによる吸引性能が低減される。結局、吸引力を向上させるため消費電力を多く消耗すべき問題点がある。しかし、本発明に係る３次元フィルタ組立体を採用することで吸引力を向上させ、結局、消費電力を減らす効果が得られる。また、フィルタ組立体１３０が設けられる第１サイクロンチャンバー２１３の形状をフィルタボディ１３１と対応する逆円錐状にすることにより、本発明による吸引力の向上が具現できる。
【００５０】
図７及び図８は本発明の他の実施形態によるフィルタ組立体１４０を示す図である。同図に示すように、本実施形態によるフィルタ組立体１４０は前述した実施形態と同様に、フィルタボディ１４１と、結合部１４２及びフィルタボディ１４１間で形成された複数の流路１４４と、を含む。フィルタボディ１４１の上端にはサイクロンボディ１１０（図３参照）と結合する円筒状の結合部１４２が形成される。結合部１４２には係合凸部１４３が形成され、サイクロンボディ１１０に形成された凹部（図示せず）と結合される。
【００５１】
一方、本実施形態によるフィルタボディ１４１はそれぞれ所定の厚さを有し、相異なる直径を有する複数のリング部材１４６がフィルタボディ１４１の中心軸１４９方向、すなわち、高さ方向に配置される。フィルタボディ１４１が逆円錐状を有するよう、複数のリング部材１４６は同一中心軸１４９を有し結合部１４２から離隔されるほど直径の大きい順に配置される。また、複数のリング部材１４６はフィルタボディ１４１の中心軸方向に相互重ならないよう配置される。そして、リング部材１４６の外面には複数の支持リブ１４５がフィルタボディ１４１の中心軸方向に設けられる。
【００５２】
このようなリング部材１４６の配置により、各リング部材１４６の間には複数の流路１４４が形成される。すなわち、リング部材１４６がフィルタボディ１４１の中心軸１４９方向に相互重ならないよう配置されるため、フィルタボディ１４１の中心軸１４９と平行方向（Ｚ方向）に各リング部材１４６の間に流路１４４が形成される（図７参照）。また、複数のリング部材１４６は直径の大きい順に配置されるため、フィルタボディ１４１の中心軸１４９と垂直方向（Ｘ、Ｙ方向）に向かって各リング部材１４６の間に流路１４４が形成される（図８参照）。
【００５３】
このような複数の流路１４４により空気は３次元方向にフィルタボディ１４１内部に流入される。すなわち、空気はフィルタボディ１４１の中心軸１４９と平行方向のみならず、フィルタボディ１４１の中心軸１４９と垂直方向にも流入され、前述した実施形態と同様な効果が得られる。一方、流路１４４の間隔はそのサイズを適切に維持することが好ましい。
【００５４】
本実施形態によるフィルタ組立体１４０も単一サイクロン集塵装置及び多重サイクロン集塵装置に適用可能である。
【００５５】
図９及び図１０は本発明のさらに他の実施形態によるフィルタ組立体１５０を示す図である。
【００５６】
同図に示すように、本実施形態によるフィルタボディ１５１は、相異なる直径を有する複数のリング部材１５６が順次フィルタボディ１５１の中心軸１５９方向に相互重ならないよう配置され、複数の支持リブ１５５が複数のリング部材１４６の外面にフィルタボディ１５１の中心軸１５９方向に設けられる構造は前述した実施形態と同様である。また、各リング部材１５６の間には流路１５４が形成され、空気は３次元方向にフィルタボディ１５１の内部に流入される。
【００５７】
一方、結合部１５２の下端には円周方向に向かって複数のスリット１５７が備えられる。複数のスリット１５７はフィルタボディ１５１の中心軸方向に形成される。本実施形態によるフィルタ組立体１５０は複数のスリット１５７によりフィルタ組立体１５０を通過する空気の通過断面積をさらに確保できる効果がある。
以上、本発明の原理を例示するために本発明の好適な実施形態について図示し説明したが、本発明は上述した特定の実施形態に限定されるものではなく、特許請求の範囲で請求している本発明の要旨を逸脱することなく、本発明に対する種々の変更及び修正が可能であることは当業者であれば理解できることであろう。よって、そのような変更及び修正は本発明の特許請求の範囲に含まれるものと見なすべきである。
【産業上の利用可能性】
【００５８】
本発明は、集塵装置に適用可能である。特に、吸入空気が旋回気流をなし、遠心力により旋回気流からゴミが分離／収集されるサイクロン集塵装置及び真空掃除機に適用可能である。
【図面の簡単な説明】
【００５９】
【図１】一般のサイクロン集塵装置の斜視図である。
【図２】図１に採用されたフィルタ組立体の斜視図である。
【図３】本発明の一実施形態によるサイクロン集塵装置の断面図である。
【図４】図３に採用されたフィルタ組立体の正面図である。
【図５】図３に採用されたフィルタ組立体の平面図である。
【図６】図４及び図５のフィルタ組立体が適用された多重サイクロン集塵装置の断面図である。
【図７】本発明の他の実施形態によるフィルタ組立体の正面図である。
【図８】本発明の他の実施形態によるフィルタ組立体の平面図である。
【図９】本発明のさらに他の実施形態によるフィルタ組立体の正面図である。
【図１０】本発明のさらに他の実施形態によるフィルタ組立体の平面図である。
【符号の説明】
【００６０】
１００    サイクロン集塵装置
１１０、２１０  サイクロンボディ
１１３、２１３  サイクロンチャンバー
１１４、２１４  内壁
１２０、２２０  ゴミ収集筒
１３０、１４０、１５０  フィルタ組立体
１３１、１４１、１５１  フィルタボディ
１３４、１４４、１５４  流路
１３５、１４５、１５５  支持リブ
２００    多重サイクロン集塵装置
【図１】
2006297057.tif 000003
【図２】
2006297057.tif 000004
【図３】
2006297057.tif 000005
【図４】
2006297057.tif 000006
【図５】
2006297057.tif 000007
【図６】
2006297057.tif 000008
【図７】
2006297057.tif 000009
【図８】
2006297057.tif 000010
【図９】
2006297057.tif 000011
【図１０】
2006297057.tif 000012